(57)【要約】【課題】複雑な制御を必要としない新たな表示装置を提供する。【解決手段】複数の共通ラインと、複数の駆動ラインと、前記複数の共通ラインと前記複数の駆動ラインとに接続される複数の発光素子と、前記複数の共通ラインに接続されると共に前記複数の共通ラインのそれぞれに時分割で電圧を印加するソースドライバと、前記複数の駆動ラインに接続されると共に前記複数の駆動ラインのうち点灯対象となる発光素子に接続された駆動ラインに電流を流すシンクドライバと、を備えた表示装置であって、前記複数の共通ラインのそれぞれに接続された複数の電圧保持装置を備え、前記電圧保持装置は、前記ソースドライバによって電圧を印加されていない場合における共通ラインの電圧を所定の値に保持する。【選択図】図１
2014095879.tif 000002
【特許請求の範囲】
【請求項１】
複数の共通ラインと、複数の駆動ラインと、前記複数の共通ラインと前記複数の駆動ラインとに接続される複数の発光素子と、前記複数の共通ラインに接続されると共に前記複数の共通ラインのそれぞれに時分割で電圧を印加するソースドライバと、前記複数の駆動ラインに接続されると共に前記複数の駆動ラインのうち点灯対象となる発光素子に接続された駆動ラインに電流を流すシンクドライバと、を備えた表示装置であって、
前記複数の共通ラインのそれぞれに接続された複数の電圧保持装置を備え、前記電圧保持装置は、前記ソースドライバによって電圧を印加されていない場合における共通ラインの電圧を所定の値に保持する、ことを特徴とする表示装置。
【請求項２】
前記電圧保持装置は、さらに、これに接続された共通ライン上の発光素子に流れる電流をこの発光素子を点灯させるために必要となる電流の値よりも小さい値に保持することを特徴とする請求項１に記載の表示装置。
【請求項３】
前記電圧保持装置は、前記共通ラインの電圧を引き上げて前記所定の値に保持することを特徴とする請求項１又は２のいずれか１項に記載の表示装置。
【請求項４】
前記電圧保持装置は、前記共通ラインの電圧を引き下げて前記所定の値に保持することを特徴とする請求項１又は２のいずれか１項に記載の表示装置。
【請求項５】
前記電圧保持装置は、高電位側に設けられた第１素子と、低電位側に設けられた第２素子と、をそれぞれ有し、前記共通ラインは、前記第１素子と前記第２素子との間に接続される、ことを特徴とする請求項１〜４のいずれか１項に記載の表示装置。
【請求項６】
前記第１素子と前記第２素子とがともに抵抗器であることを特徴とする請求項５に記載の表示装置。
【発明の詳細な説明】
【技術分野】
【０００１】
本発明は、表示装置に関する。
【背景技術】
【０００２】
従来、複数の発光素子をダイナミック駆動方式で点灯制御するドットマトリクス型の表示装置において、共通ライン上に存在している電荷をスイッチおよび定電流源回路を備えた誤点灯キャンセル回路によりグランド側に放電する発明が提案された（特許文献１参照）。
【先行技術文献】
【特許文献】
【０００３】
【特許文献１】特開２００１-１０９４３３号公報
【発明の概要】
【発明が解決しようとする課題】
【０００４】
しかしながら、上記従来の表示装置では、複数の共通ラインの状態に応じて誤点灯キャンセル回路上のスイッチを開閉しなければならないため、制御が複雑になるという問題があった。
【０００５】
そこで、本発明は、複雑な制御を必要としない新たな表示装置を提供することを目的とする。
【課題を解決するための手段】
【０００６】
本発明によれば、上記課題は、次の手段により解決される。すなわち、複数の共通ラインと、複数の駆動ラインと、前記複数の共通ラインと前記複数の駆動ラインとに接続される複数の発光素子と、前記複数の共通ラインに接続されると共に前記複数の共通ラインのそれぞれに時分割で電圧を印加するソースドライバと、前記複数の駆動ラインに接続されると共に前記複数の駆動ラインのうち点灯対象となる発光素子に接続された駆動ラインに電流を流すシンクドライバと、を備えた表示装置であって、前記複数の共通ラインのそれぞれに接続された複数の電圧保持装置を備え、前記電圧保持装置は、前記ソースドライバによって電圧を印加されていない場合における共通ラインの電圧を所定の値に保持する、ことを特徴とする表示装置である。
【図面の簡単な説明】
【０００７】
【図１】本発明の実施形態に係る表示装置の概略構成を示す図である。
【図２】本発明の実施形態に係る電圧保持装置の構成例を示す図である。
【図３】本発明の実施形態に係る電圧保持装置の他の構成例を示す図である。
【発明を実施するための形態】
【０００８】
以下に、添付した図面を参照しつつ、本発明を実施するための形態について説明する。
【０００９】
図１は、本発明の実施形態に係る表示装置の概略構成を示す図である。
【００１０】
図１に示すように、本発明の実施形態に係る表示装置は、複数の共通ラインＣ０、Ｃ１と、複数の駆動ラインＳ０、Ｓ１と、複数の発光素子１と、ソースドライバ２と、シンクドライバ３と、複数の電圧保持装置４と、を備えている。
【００１１】
［複数の共通ラインＣ０、Ｃ１、複数の駆動ラインＳ０、Ｓ１］
複数の共通ラインＣ０、Ｃ１と複数の駆動ラインＳ０、Ｓ１とは、交差して配置される。共通ラインＣ０、Ｃ１や駆動ラインＳ０、Ｓ１には、例えば銅箔を用いることができる。
【００１２】
［複数の発光素子１］
複数の発光素子１は、マトリクス状に配置される。また、複数の発光素子１は、そのアノード端子が行ごとに複数の共通ラインＣ０、Ｃ１に接続され、そのカソード端子が列ごとに複数の駆動ラインＳ０、Ｓ１に接続される。発光素子１には、例えば発光ダイオードを用いることができる。発光ダイオードとしては、例えば、点灯時の順方向電圧が３．５Ｖで、定格逆電圧が５Ｖのものを用いることができる。
【００１３】
［ソースドライバ２］
ソースドライバ２は、複数の共通ラインＣ０、Ｃ１に接続されると共に複数の共通ラインＣ０、Ｃ１のそれぞれに時分割で電圧を印加する。ソースドライバ２には、各種のスイッチング回路（例：集積回路）を用いることができる。
【００１４】
［シンクドライバ３］
シンクドライバ３は、複数の駆動ラインＳ０、Ｓ１に接続されると共に複数の駆動ラインＳ０、Ｓ１のうち点灯対象となる発光素子１に接続された駆動ラインＳ０、Ｓ１に電流を流す。
【００１５】
本発明の実施形態に係る表示装置では、複数の発光素子１がダイナミック駆動方式で点灯制御される。すなわち、本発明の実施形態に係る表示装置では、ソースドライバ２が複数の共通ラインＣ０、Ｃ１のそれぞれに時分割で電圧を印加している間に、シンクドライバ３が複数の駆動ラインＳ０、Ｓ１のうち点灯対象となる発光素子１に接続された駆動ラインＳ０、Ｓ１に電流を流すことにより、複数の発光素子１を点灯制御する。
【００１６】
［複数の電圧保持装置４］
複数の電圧保持装置４は、複数の共通ラインＣ０、Ｃ１のそれぞれに接続される。電圧保持装置４は、ソースドライバ２によって電圧を印加されていない場合における共通ラインＣ０、Ｃ１の電圧を所定の値に保持する。この所定の値は、０Ｖよりも大きく、例えば、２．８Ｖ程度であることが好ましい。
【００１７】
具体的に説明すると、電圧保持装置４は、ソースドライバ２によって電圧を印加されていない場合における共通ラインＣ０、Ｃ１の電圧が所定の値よりも低い場合（例：表示装置の電源起動直後）、共通ラインＣ０、Ｃ１に電荷を充電して共通ラインＣ０、Ｃ１の電圧を引き上げて所定の値に保持し、この共通ラインＣ０、Ｃ１に接続された発光素子１に過大な逆電圧が掛かることを防止する。
【００１８】
他方、電圧保持装置４は、共通ラインＣ０、Ｃ１の電圧が所定の値よりも高い場合（例：ソースドライバ２による電圧の印加が共通ラインＣ０（共通ラインＣ１）から共通ラインＣ１（共通ラインＣ０）へ切替った直後）、共通ラインＣ０、Ｃ１の電荷を放電して共通ラインＣ０、Ｃ１の電圧を引き下げて所定の値に保持し、この共通ラインＣ０、Ｃ１に接続された発光素子１が誤点灯することを防止する。
【００１９】
（表示装置の起動直後）
電圧保持装置４は、共通ラインＣ０、Ｃ１に接続（常時接続）されているため、上記のとおり、表示装置の起動直後において、共通ラインＣ０、Ｃ１に電荷を充電して共通ラインＣ０、Ｃ１の電圧を引き上げ所定の値に保持する。したがって、本発明の実施形態によれば、表示装置の起動直後から、共通ラインＣ０、Ｃ１に接続された発光素子１に過大な逆電圧が掛かることを防止することができる。
【００２０】
以上説明した本発明の実施形態によれば、複雑な制御を必要としない新たな表示装置を提供することができる。
【００２１】
なお、複数の共通ラインの状態に応じてスイッチを開閉する従来の表示装置においては、制御信号の数が増え、ピン数の多いＩＣやコネクタを用いなければならず、コストがかさむという問題もあった。しかしながら、本発明の実施形態に係る表示装置によれば、共通ライン上に存在している電荷をスイッチを用いることなく制御することができるため、可能な限り、制御信号の数を抑えて、ピン数の少ない簡易なＩＣやコネクタを用いることができる。
【００２２】
［電圧保持装置４の構成例］
図２は、本発明の実施形態に係る電圧保持装置４の構成例を示す図である。
【００２３】
図２に示すように、本発明の実施形態に係る電圧保持装置４は、例えば、プルアップ抵抗Ｒ１とプルダウン抵抗Ｒ２とを備えて構成される。共通ラインＣ０、Ｃ１は、プルアップ抵抗Ｒ１とプルダウン抵抗Ｒ２との間に配線Ｌを介して接続される。プルアップ抵抗Ｒ１の一端には、プルアップ電圧Ｅが印加される。なお、共通ラインＣ０、Ｃ１は、配線Ｌを介さずにプルアップ抵抗Ｒ１とプルダウン抵抗Ｒ２との間に直接接続することもできる。
【００２４】
なお、以下の説明では、一例として、プルアップ電圧Ｅがソースドライバ２による電圧と同じ電圧源から供給され、プルアップ電圧Ｅの値がソースドライバ２によって共通ラインＣ０、Ｃ１に印加される電圧に等しくなる形態について説明する。
【００２５】
まず、ソースドライバ２によって共通ラインＣ０、Ｃ１に電圧が印加されている場合について検討する。この場合、共通ラインＣ０、Ｃ１の電圧は、プルアップ電圧Ｅに等しくなる。したがって、プルアップ抵抗Ｒ１に流れる電流は、共通ラインＣ０、Ｃ１側には流れ込まず、すべてプルダウン抵抗Ｒ２を介してＧＮＤへ流れ込む。
【００２６】
なお、この場合、プルアップ電圧Ｅと共通ラインＣ０、Ｃ１との間における電位差（プルアップ抵抗Ｒ１の両端の電位差）が０であり、プルアップ抵抗Ｒ１の抵抗値を実質的に０とみなすことができるため、プルダウン抵抗Ｒ２を介してＧＮＤへ流れ込む電流の値は、プルアップ電圧Ｅをプルダウン抵抗Ｒ２で除算することにより求められる。
【００２７】
次に、ソースドライバ２によって共通ラインＣ０、Ｃ１に電圧が印加されていない場合について検討する。
【００２８】
まず、共通ラインＣ０、Ｃ１の電圧が所定の値（ここでは、プルアップ電圧Ｅ×プルダウン抵抗Ｒ２／（プルアップ抵抗Ｒ１＋プルダウン抵抗Ｒ２））よりも低い場合であるが、この場合、共通ラインＣ０、Ｃ１の電圧は引き上げられて所定の値に保持される。プルアップ抵抗Ｒ１に流れる電流は、引き上げの前後を問わず、共通ラインＣ０、Ｃ１側とプルダウン抵抗Ｒ２側とへ流れ込む。
【００２９】
それとは反対に、共通ラインＣ０、Ｃ１の電圧が所定の値（ここでは、プルアップ電圧Ｅ×プルダウン抵抗Ｒ２／（プルアップ抵抗Ｒ１＋プルダウン抵抗Ｒ２））よりも高い場合、共通ラインＣ０、Ｃ１の電圧は引き下げられて所定の値に保持される。この場合、引き下げ前は、プルアップ抵抗Ｒ１に流れる電流と共通ラインＣ０、Ｃ１側から流れ込む電流とがプルダウン抵抗Ｒ２を介してＧＮＤへ流れ込み、引き下げ後は、プルアップ抵抗Ｒ１に流れる電流が共通ラインＣ０、Ｃ１側とプルダウン抵抗Ｒ２側とへ流れ込む。
【００３０】
このように、ソースドライバ２によって共通ラインＣ０、Ｃ１に電圧が印加されていない場合、共通ラインＣ０、Ｃ１の電圧は、電圧保持装置４により所定の値にまで引き上げられまたは引き下げられ、電圧保持装置４により所定の値に保持される。
【００３１】
（発光素子１の誤点灯の自律的な防止）
ここで、何らかの理由により、発光素子１のアノード端子の電圧が僅かに上昇したと仮定する。この場合、この上昇が続くと、発光素子１に十分な大きさの順方向電圧が掛かるため、発光素子１が誤点灯してしまう。
【００３２】
しかしながら、発光素子１に流れる順方向電流は、プルアップ抵抗Ｒ１から流れてきた電流であり、プルアップ抵抗Ｒ１に流れる電流の一部であるため、発光素子１のアノード端子の電圧が僅かに上昇すると、発光素子１に流れる順方向電流が僅かに大きくなって、プルアップ抵抗Ｒ１に流れる電流が僅かに大きくなり、プルアップ抵抗Ｒ１に掛かる電圧が僅かに上昇することになる。
【００３３】
このため、共通ラインＣ０、Ｃ１の電圧は、プルアップ電圧Ｅからプルアップ抵抗Ｒ１に掛かる電圧を差し引いた値であるため、発光素子１のアノード端子の電圧が僅かに上昇すると、結局、共通ラインＣ０、Ｃ１の電圧が僅かに押し下げられることになり、これが、発光素子１のアノード端子の電圧の上昇を妨げることになる。
【００３４】
よって、電圧保持装置４のプルアップ抵抗Ｒ１によれば、発光素子１のアノード端子の電圧の上昇、すなわち、発光素子１に流れる順方向電流の増大を妨げ、共通ラインＣ０、Ｃ１上の発光素子１に流れる電流をこの発光素子１を点灯させるために必要となる電流の値よりも小さい値に保持し、発光素子１の誤点灯を自律的に防止することが可能となる。
【００３５】
（安価な構成）
なお、図２に示した電圧保持装置４は、プルアップ抵抗Ｒ１とプルダウン抵抗Ｒ２という２つの抵抗器を高電位側と低電位側とにそれぞれ設けてなる簡易な構成を有しているため、安価に構成することが可能である。
【００３６】
特に、図２に示した電圧保持装置４は、抵抗器というダイオードよりも遥かに安価な回路素子をたった２つ用いるだけで構成されるため（本願の出願日時点において、抵抗器の単価は、概ね、ダイオードの単価の１／７程度である。）、極めて安価に構成することが可能である。
【００３７】
（表示装置の信頼性）
抵抗器は、ダイオードなどの他の回路素子よりも簡易な構成をしているため信頼性が高い。したがって、図２に示した電圧保持装置４によれば、本発明の実施形態に係る表示装置の信頼性を高めることができる。
【００３８】
（消費電力、ディスプレイの点灯率）
電圧保持装置４において、プルアップ抵抗Ｒ１を３．９ｋΩ程度とし、プルダウン抵抗Ｒ２を５．１ｋΩ程度とし、プルアップ電圧Ｅを５Ｖ程度とすれば、ソースドライバ２によって電圧を印加されていない場合における共通ラインＣ０、Ｃ１の電圧をプルアップ電圧Ｅ×プルダウン抵抗Ｒ／（プルアップ抵抗Ｒ＋プルダウン抵抗Ｒ）＝２．８Ｖ程度（所定の値の一例）に保持することができる。
【００３９】
したがって、電圧保持装置４を用いると、ソースドライバ２によって共通ラインＣ０、Ｃ１に電圧が印加されていない場合において、１つの共通ラインＣ０、Ｃ１当たり５Ｖ／（３．９ｋΩ＋５．１ｋΩ）＝０．６ｍＡ程度の電流を消費し、ソースドライバ２によって共通ラインＣ０、Ｃ１に電圧が印加されている場合において、１つの共通ラインＣ０、Ｃ１当たり５Ｖ／５．１ｋΩ＝１．０ｍＡ程度の電流を消費することになるが、この電流は、点灯に必要な電流よりも遥かに小さい。
【００４０】
例えば、１６×１６ｄｏｔ、１／１６Ｄｕｔｙのディスプレイにおいて、共通ラインＣ０、Ｃ１に接続された発光素子１の数が４８個（１６ＬＥＤ×３色）であり、１個当たりの発光素子１を点灯させるために必要となる電流が１０ｍＡであるとした場合、点灯に必要な電流は４８個×１０ｍＡ＝４８０ｍＡとなるが、電圧保持装置４により消費される電流は、０．６ｍＡ×１５ライン＋１．０ｍＡ×１ライン＝１０ｍＡに過ぎない。よって、電圧保持装置４によれば、消費電力を抑制することも可能である。
【００４１】
また、点灯率が下がると、ディスプレイのターゲット輝度を達成するために必要な発光素子１を点灯させるための電流が増えるが、プルアップ抵抗Ｒ１やプルダウン抵抗Ｒ２の抵抗値を小さくすると、共通ラインＣ０、Ｃ１に流れる電流が大きくなり、共通ラインＣ０、Ｃ１の放電や充電にかかる時間が短くなる。このため、共通ラインＣ０、Ｃ１の電圧を所定の値に引き上げ又は引き下げるのに必要な時間が短くなり、ディスプレイの点灯率の低下を抑えることができるようになるため、高倍速（多サブフレーム）で低Ｄｕｔｙのディスプレイを構成することが可能になる。
【００４２】
例えば、上記では、プルアップ抵抗Ｒ１＝３．９ｋΩ程度、プルダウン抵抗Ｒ２＝５．１ｋΩ程度、プルアップ電圧Ｅ＝５Ｖ程度、所定の値＝２．８Ｖ程度となる一例について説明したが、プルアップ抵抗Ｒ１とプルダウン抵抗Ｒ２とについて、例えば、その比率を同じしたまま抵抗値を１／１０にしてプルアップ抵抗Ｒ１＝３９０Ω程度、プルダウン抵抗Ｒ２＝５１０Ω程度とすると、所定の値は２．８Ｖ程度と変わらないが、共通ラインＣ０、Ｃ１の電圧をこの所定の値に引き上げ又は引き下げるのに必要な時間が短くなる。
【００４３】
（逆電圧の防止・緩和と微少発光の阻止・抑制）
発光素子１は、僅かな電流でも微小に発光してしまう。しかし、図２に記載した電圧保持装置４によれば、共通ラインＣ０、Ｃ１の電圧が２．８Ｖ程度に保持されるに過ぎない。したがって、図２に記載した電圧保持装置４によれば、発光素子１の逆電圧を防止しつつ、発光素子１の発光を阻止することができる。
【００４４】
なお、発光素子１の特性にはバラツキがある。したがって、共通ラインＣ０、Ｃ１の電圧が２．８Ｖ程度に保持されたとしても、逆電圧が掛かる発光素子１は存在し得るし、微少に発光する発光素子１も存在し得る。しかし、このような場合であっても、図２に記載した電圧保持装置４によれば、共通ラインＣ０、Ｃ１の電圧が２．８Ｖ程度に保持されるため、その逆電圧を許容できる程度にまで緩和することができ、またその発光を可能な限り微少に抑制することができる。
【００４５】
（第１素子と第２素子との一例）
図２に示した電圧保持装置４において、プルアップ抵抗Ｒ１は第１素子の一例であり、プルダウン抵抗Ｒ２は第２素子の一例である。
【００４６】
［電圧保持装置４の他の構成例］
図３は、本発明の実施形態に係る電圧保持装置４の他の構成例を示す図である。
【００４７】
図３（Ａ）に示すように、本発明の実施形態に係る電圧保持装置４は、可変抵抗器Ｒを備えて構成することもできる。この場合、共通ラインＣ０、Ｃ１は、可変抵抗器Ｒ上の一点に配線Ｌを介して接続される。
【００４８】
図３（Ａ）に示した電圧保持装置４では、可変抵抗器Ｒの一部分（配線Ｌが接続されている箇所よりも高電位側）によって、発光素子１のアノード端子の電圧の上昇、すなわち、発光素子１に流れる順方向電流の増大が妨げられ、発光素子１の誤点灯が自律的に防止される。
【００４９】
なお、図３（Ａ）に示した電圧保持装置４において、可変抵抗器Ｒの一部分（配線Ｌが接続されている箇所よりも高電位側）は第１素子の一例であり、可変抵抗器Ｒの残りの部分（配線Ｌが接続されている箇所よりも低電位側）は第２素子の一例である。
【００５０】
図３（Ｂ）に示すように、本発明の実施形態に係る電圧保持装置４は、２つの抵抗器Ｒ１、Ｒ２と、２つの抵抗器Ｒ１、Ｒ２に接続されたツェナーダイオードＤと、を備えて構成することもできる。この場合、共通ラインＣ０、Ｃ１は、２つの抵抗器Ｒ１、Ｒ２の中点に配線Ｌを介して接続される。
【００５１】
図３（Ｂ）に示した電圧保持装置４では、高電位側の抵抗器Ｒ１によって、発光素子１のアノード端子の電圧の上昇、すなわち、発光素子１に流れる順方向電流の増大が妨げられ、発光素子１の誤点灯が自律的に防止される。
【００５２】
なお、図３（Ｂ）に示した電圧保持装置４において、高電位側の抵抗器Ｒ１は第１素子の一例であり、低電位側の抵抗器Ｒ２は第２素子の一例である。
【００５３】
図３（Ｃ）に示すように、本発明の実施形態に係る電圧保持装置４は、定電流ダイオードＤと、定電流ダイオードＤに接続された２つの抵抗器Ｒ１、Ｒ２と、を備えて構成することもできる。この場合、共通ラインＣ０、Ｃ１は、２つの抵抗器Ｒ１、Ｒ２の中点に配線Ｌを介して接続される。
【００５４】
図３（Ｃ）に示した電圧保持装置４では、定電流ダイオードＤによって、発光素子１のアノード端子の電圧の上昇、すなわち、発光素子１に流れる順方向電流の増大が妨げられ、発光素子１の誤点灯が自律的に防止される。
【００５５】
なお、図３（Ｃ）に示した電圧保持装置４において、定電流ダイオードＤとこれに接続された抵抗器Ｒ１とは第１素子の一例であり、ＧＮＤ側の抵抗器Ｒ２は第２素子の一例である。
【００５６】
図３（Ｄ）に示すように、本発明の実施形態に係る電圧保持装置４は、整流ダイオードＤと、整流ダイオードＤに接続された２つの抵抗器Ｒ１、Ｒ２と、を備えて構成することもできる。この場合、共通ラインＣ０、Ｃ１は、２つの抵抗器Ｒ１、Ｒ２の中点に配線Ｌを介して接続される。
【００５７】
図３（Ｄ）に示した電圧保持装置４では、整流ダイオードＤとこれに接続された抵抗器Ｒ１とによって、発光素子１のアノード端子の電圧の上昇、すなわち、発光素子１に流れる順方向電流の増大が妨げられ、発光素子１の誤点灯が自律的に防止される。
【００５８】
なお、図３（Ｄ）に示した電圧保持装置４において、整流ダイオードＤとこれに接続された抵抗器Ｒ１とは第１素子の一例であり、ＧＮＤ側の抵抗器Ｒ２は第２素子の一例である。
【００５９】
図２（Ｅ）に示すように、本発明の実施形態に係る電圧保持装置４は、発光ダイオードＤと、発光ダイオードＤに接続された２つの抵抗器Ｒ１、Ｒ２と、を備えて構成することもできる。この場合、共通ラインＣ０、Ｃ１は、２つの抵抗器Ｒ１、Ｒ２の中点に配線Ｌを介して接続される。
【００６０】
図３（Ｅ）に示した電圧保持装置４では、発光ダイオードＤとこれに接続された抵抗器Ｒ１によって、発光素子１のアノード端子の電圧の上昇、すなわち、発光素子１に流れる順方向電流の増大が妨げられ、発光素子１の誤点灯が自律的に防止される。
【００６１】
なお、図３（Ｅ）に示した電圧保持装置４において、発光ダイオードＤとこれに接続された抵抗器Ｒ１とは第１素子の一例であり、ＧＮＤ側の抵抗器Ｒ２は第２素子の一例である。
【００６２】
図３（Ｆ）に示すように、本発明の実施形態に係る電圧保持装置４は、定電流ダイオードＤと、定電流ダイオードＤに接続された抵抗器Ｒと、を備えて構成することもできる。この場合、共通ラインＣ０、Ｃ１は、定電流ダイオードＤと抵抗器Ｒとの中点に配線Ｌを介して接続される。
【００６３】
図３（Ｆ）に示した電圧保持装置４では、定電流ダイオードＤによって、発光素子１のアノード端子の電圧の上昇、すなわち、発光素子１に流れる順方向電流の増大が妨げられ、発光素子１の誤点灯が自律的に防止される。
【００６４】
なお、図３（Ｆ）に示した電圧保持装置４において、定電流ダイオードＤは第１素子の一例であり、抵抗器Ｒは第２素子の一例である。
【００６５】
図３（Ｇ）に示すように、本発明の実施形態に係る電圧保持装置４は、整流ダイオードＤと、整流ダイオードＤに接続された抵抗器Ｒと、を備えて構成することもできる。この場合、共通ラインＣ０、Ｃ１は、整流ダイオードＤと抵抗器Ｒとの中点に配線Ｌを介して接続される。
【００６６】
図３（Ｇ）に示した電圧保持装置４では、整流ダイオードＤによって、発光素子１のアノード端子の電圧の上昇、すなわち、発光素子１に流れる順方向電流の増大が妨げられ、発光素子１の誤点灯が自律的に防止される。
【００６７】
なお、図３（Ｇ）に示した電圧保持装置４において、整流ダイオードＤは第１素子の一例であり、抵抗器Ｒは第２素子の一例である。
【００６８】
図３（Ｈ）に示すように、本発明の実施形態に係る電圧保持装置４は、発光ダイオードＤと、発光ダイオードＤに接続された抵抗器Ｒと、を備えて構成することもできる。この場合、共通ラインＣ０、Ｃ１は、発光ダイオードＤと抵抗器Ｒとの中点に配線Ｌを介して接続される。
【００６９】
図３（Ｈ）に示した電圧保持装置４では、発光ダイオードＤによって、発光素子１のアノード端子の電圧の上昇、すなわち、発光素子１に流れる順方向電流の増大が妨げられ、発光素子１の誤点灯が自律的に防止される。
【００７０】
なお、図３（Ｈ）に示した電圧保持装置４において、発光ダイオードＤは第１素子の一例であり、抵抗器Ｒは第２素子の一例である。
【００７１】
以上、図２、図３を参照しつつ、電圧保持装置４の構成例について説明したが、本発明の実施形態に係る電圧保持装置４は、ソースドライバ２や発光素子１などに内蔵させることもできる。
【実施例１】
【００７２】
次に、本発明の実施例１に係る表示装置について説明する。
【００７３】
本発明の実施例１に係る表示装置では、２４本の共通ラインＣ０、Ｃ１と４８本の駆動ラインＳ０、Ｓ１と交差して配置し、共通ラインＣ０、Ｃ１と駆動ラインＳ０、Ｓ１とを交差してできる各交点に、１１５２個の発光ダイオード（Ｒｅｄ、Ｇｒｅｅｎ、Ｂｌｕｅからなる３種類の発光ダイオードが含まれる。）をそれぞれ配置した。
【００７４】
ソースドライバ２にはＰｃｈＭＯＳＦＥＴを用い、シンクドライバ３には１５ｍＡ程度に設定した定電流駆動のＮＰＮバイポーラトランジスタを用いた。また、電圧保持装置には、図２に示した電圧保持装置４を用いた。電圧保持装置４におけるプルアップ抵抗Ｒ１には３．９ｋΩの抵抗器を用い、プルダウン抵抗Ｒ２には５．１ｋΩの抵抗器を用い、プルアップ電圧Ｅはソースドライバ２であるＰｃｈＭＯＳＦＥＴのソース電圧と同じ５Ｖとした。
【００７５】
この本発明の実施例１に係る表示装置を、１／２４のＤｕｔｙ比でダイナミック駆動させ、共通ラインＣ０、Ｃ１の走査周期を８６．８ｕｓとし、走査される共通ラインＣ０、Ｃ１においてソースドライバ２が電圧を印加する期間を７６．８ｕｓとし、電圧を印加していない期間を１０ｕｓとした。
【００７６】
また、誤点灯が発生しているか、また逆電圧がかかっているかが分かりやすいように、あえて斜め点灯、すなわち、マトリクス状に配置された１１５２個の発光ダイオードのうち斜め方向に配置されたものを点灯させた。
【００７７】
このような表示装置について、誤点灯は目視により確認し、逆電圧はオシロスコープにより確認したところ、発光ダイオードの誤点灯は見受けられず、非点灯の発光ダイオードに掛かる逆電圧は小さく抑えられていた。
【００７８】
したがって、本発明の実施例１に係る表示装置は、品質の高い表示装置であると評価することができる。
【００７９】
［比較例１］
次に、比較例１に係る表示装置について検討する。
【００８０】
比較例１に係る表示装置としては、本発明の実施例１に係る表示装置と基本的には同じ構成を有しているが、電圧保持装置４を備えていない表示装置を用いた。
【００８１】
比較例１に係る表示装置を斜め点灯、すなわち、マトリクス状に配置された１１５２個の発光ダイオードのうち斜め方向に配置されたものを点灯させたところ、点灯させている発光ダイオードと同じ駆動ラインに接続された発光ダイオードであって、点灯させている発光ダイオードが接続された共通ラインから数本程度の範囲で離れている共通ラインに接続されるいくつかの発光ダイオードについて、誤点灯が確認された。
【００８２】
したがって、比較例１に係る表示装置は、品質の悪い表示装置であると評価することができる。
【００８３】
［比較例２］
次に、比較例２に係る表示装置について検討する。
【００８４】
比較例２に係る表示装置は、本発明の実施例１に係る表示装置と基本的には同じ構成を有しているが、電圧保持装置４中のプルアップ抵抗Ｒ１（電流を抑制する手段の一例）を備えていない表示装置を用いた。
【００８５】
比較例２に係る表示装置を斜め点灯、すなわち、マトリクス状に配置された１１５２個の発光ダイオードのうち斜め方向に配置されたものを点灯させたところ、誤点灯は確認されなかったが、非点灯の発光ダイオードに大きな逆電圧が掛かっていた。
【００８６】
以上、本発明の実施形態及び実施例について説明したが、これらの説明は、本発明の一例に関するものであり、本発明は、これらの説明によって何ら限定されるものではない。
【符号の説明】
【００８７】
Ｃ０、Ｃ１  共通ライン
Ｓ０、Ｓ１  駆動ライン
１    発光素子
２    ソースドライバ
３    シンクドライバ
４    電圧保持装置
【図１】
2014095879.tif 000003
【図２】
2014095879.tif 000004
【図３】
2014095879.tif 000005